(57)【特許請求の範囲】
【請求項１】
塵埃を取り込む開口が下面に形成された吸込ケースを有する吸込口体と、塵埃が集積される集塵室及び該集塵室内に塵埃を吸引すべく該集塵室内を負圧にするための電動送風機がそれぞれ設けられると共に前記吸込口体を取り外し可能に保持する保持部が設けられた掃除機本体とを備え、前記吸込ケース内には、前記開口に臨んで配置され、被清掃面の塵埃を掻き出してその塵埃を前記開口から吸込ケース内へ取り込む塵埃掻出手段と、この吸込ケース内へ取り込まれた塵埃を蓄えておく蓄積室と、該蓄積室に蓄えられた塵埃を前記電動送風機の作動による負圧吸引力により前記掃除機本体の前記集塵室内に吸引するための接続口とが設けられており、前記掃除機本体には、前記吸込口体を前記保持部に保持した状態で前記吸込口体の前記接続口に接続され、前記吸込口体の前記蓄積室と前記集塵室とを互いに連通させる吸引孔が設けられており、前記開口は、前記吸込口体が前記保持部に保持された状態で前記保持部に形成された凹部により閉塞されず、前記凹部を介して外気と連通していることを特徴とする電気掃除機。
【請求項２】
前記吸込口体は、塵埃掻出手段を動作させるモータと、このモータを駆動させる充電池とを内蔵し、
前記吸込口体が保持部に保持されたとき、前記充電池を充電する充電回路を掃除機本体に設けたことを特徴とする請求項１に記載の電気掃除機。
【請求項３】
前記吸込口体が保持部に保持されたとき、前記電気送風機が駆動されて吸込口体の蓄積室の塵埃を吸引することを特徴とする請求項２に記載の電気掃除機。
【請求項４】
前記吸込口体は接続口を開閉するシャッタを備え、この吸込口体が保持部に保持されたとき、シャッタが開成することを特徴とする請求項２又は請求項３に記載の電気掃除機。
【発明の詳細な説明】
【０００１】
【発明の属する技術分野】
この発明は、掻き出した塵埃を一時的に蓄えておく吸込口体を備えた電気掃除機に関する。
【０００２】
【従来の技術】
従来、電気掃除機は、掃除機本体に接続された集塵ホースの先端部に延長管を接続するとともにこの延長管の先端に吸込口体を接続し、集塵ホースの先端部側に設けられた把手部を手で持って操作することによって吸込口体を前後左右に移動させて掃除を行っていく。
【０００３】
【発明が解決しようとする課題】
ところで、このような従来の電気掃除機にあっては、把手部に集塵ホースがぶら下がる状態となり、その把手部の操作の負荷が大きくなってしまうという問題があった。また、吸込口体を所定距離以上移動させるには掃除機本体を移動させなければならず、非常に面倒であった。しかも、掃除機本体にはコードがつながっているので、そのコードが掃除の邪魔になるなどの多くの問題があった。
【０００４】
この発明は、上記事情に鑑みてなされたものであり、その目的は、吸込口体の移動の負荷を小さくすることができ、しかも吸込口体の移動距離に拘わらず掃除機本体を移動させる必要のない電気掃除機を提供することにある。
【０００５】
【課題を解決するための手段】
上記目的を達成するため、請求項１の発明は、塵埃を取り込む開口が下面に形成された吸込ケースを有する吸込口体と、塵埃が集積される集塵室及び該集塵室内に塵埃を吸引すべく該集塵室内を負圧にするための電動送風機がそれぞれ設けられると共に前記吸込口体を取り外し可能に保持する保持部が設けられた掃除機本体とを備え、前記吸込ケース内には、前記開口に臨んで配置され、被清掃面の塵埃を掻き出してその塵埃を前記開口から吸込ケース内へ取り込む塵埃掻出手段と、この吸込ケース内へ取り込まれた塵埃を蓄えておく蓄積室と、該蓄積室に蓄えられた塵埃を前記電動送風機の作動による負圧吸引力により前記掃除機本体の前記集塵室内に吸引するための接続口とが設けられており、前記掃除機本体には、前記吸込口体を前記保持部に保持した状態で前記吸込口体の前記接続口に接続され、前記吸込口体の前記蓄積室と前記集塵室とを互いに連通させる吸引孔が設けられており、前記開口は、前記吸込口体が前記保持部に保持された状態で前記保持部に形成された凹部により閉塞されず、前記凹部を介して外気と連通していることを特徴とする。
【０００６】
請求項２の発明は、請求項１に記載の発明において、前記吸込口体は、塵埃掻出手段を動作させるモータと、このモータを駆動させる充電池とを内蔵し、前記吸込口体が保持部に保持されたとき、前記充電池を充電する充電回路を掃除機本体に設けたことを特徴とする。
【０００７】
請求項３の発明は、請求項２に記載の発明において、前記吸込口体が保持部に保持されたとき、前記電気送風機が駆動されて吸込口体の蓄積室の塵埃を吸引することを特徴とする。
【０００８】
請求項４の発明は、請求項２又は請求項３に記載の発明において、前記吸込口体は接続口を開閉するシャッタを備え、この吸込口体が保持部に保持されたとき、シャッタが開成することを特徴とする。
【００１０】
【実施の形態】
以下、この発明に係る電気掃除機の実施形態を図面に基づいて説明する。
【００１１】
図１ないし図３において、１０は電気掃除機であり、この電気掃除機１０は、掃除機本体１１と、この掃除機本体１１の載置部（保持部）１２に載置（保持）された吸込口体３０とを備えている。
【００１２】
掃除機本体１１は、筺体状に形成された本体ケース１３を有しており、この本体ケース１３内の底部には制御室Ｓが形成され、この制御室Ｓの上に前から集塵室１４と電動室１５とが形成されている。集塵室１４には集塵フィルタ１６が着脱自在に装着され、電動室１５には集塵室１４を負圧にする電動送風機１７が設けられている。１８はコードリールである。
【００１３】
本体ケース１３の前側の上部には蓋ケース１９が開閉可能に装着され、蓋ケース１９を開成することにより、集塵フィルタ１６の交換が行えるようになっている。また、本体ケース１３の前壁１３Ａには、図４に示すように、集塵室１４に連通した吸引孔２０が下側に形成され、この吸引孔２０の上に突起２１と、この突起２１の上に係止部材２２とが設けられている。係止部材２２は、後述する吸込口体３０の操作パイプ３１に係合してこの操作パイプ３１を保持するようになっている。また、本体ケース１３の後壁部１３Ｂには電動送風機１７から排出される空気を排気する排気孔Ｈが形成されている。
【００１４】
また、本体ケース１３の前壁１３Ａの吸引孔２０の下には前方へ突出した載置部１２が形成されている。
【００１５】
載置部１２の上面１２Ａには、前端から後方へ延びるとともに所定の幅の凹部２３が形成され、その上面１２の後部の一側部側には、図５に示すように、筒状の端子ボス２４Ａ,２４Ｂが形成され、この端子ボス２４Ａ,２４Ｂ内には端子板２５Ａ,２５Ｂが設けられている。この端子板２５Ａ,２５Ｂは後述する充電回路５０（図１１参照）に接続されている。
【００１６】
吸込口体３０は、図２および図３に示すように、底面に開口３２を形成した吸込ケース（吸込口本体）３３を有しており、この吸込ケース３３の上部には操作パイプ３１が取り付けられている。この操作パイプ３１は、下部を支点にして前後方向に傾動可能となっており、操作パイプ３１の上端部には把手部３１Ａが形成され、この把手部３１Ａには後述するモータ３７のスイッチ３４が設けられている。
【００１７】
吸込ケース３３内には、開口３２に臨むように回転清掃体３５が回転自在に設けられている。この回転清掃体３５は軸部３５Ａから放射状に延びた複数のブレード３５Ｂを有しており、回転清掃体３５が時計回り（図２において）回転していくことによりブレード３５Ｂが床面の塵埃を掻き出して吸込ケース３３内へ取り込んでいくようになっている。
【００１８】
また、吸込ケース３３内の回転清掃体３５の後方位置には、図３に示すように、このケース３３内に取り込まれた塵埃を蓄えていく蓄積室３６が形成されており、蓄積室３６の一側にはモータ３７が設けられている。モータ３７の駆動軸３７aに設けた駆動プーリ３８と回転清掃体３５の一端に設けた従動プーリ３９とにはベルト４０が巻回され、回転清掃体３５はモータ３７の駆動によって時計回り（図２において）に回転していくようになっている。
【００１９】
また、蓄積室３６の他端側にはモータ３７用の充電池４１が設置され、この充電池４１に隣接して吸込ケース３３の底壁３３Ａの上面には図６に示すように上方へ突出した円筒状の嵌合ボス４２Ａ,４２Ｂが形成されている。この嵌合ボス４２Ａ,４２Ｂの下端面となる底壁３３Ａの下面は開口し、その上面が閉塞されて接続ピン４３Ａ,４３Ｂが取り付けられており、この接続ピン４３Ａ,４３Ｂはその上面から嵌合ボス４２Ａ,４２Ｂ内に突出している。接続ピン４３Ａ,４３Ｂは充電池４１の陽極および陰極に接続されている。
【００２０】
嵌合ボス４２Ａ,４２Ｂの内径は、載置部１２の端子ボス２４Ａ,２４Ｂの外径とほぼ同一に設定され、図１および図２に示すように吸込口体３０を載置部１２に載置すると端子ボス２４Ａ,２４Ｂが嵌合ボス４２Ａ,４２Ｂ内に嵌入するようになっている。端子ボス２４Ａ,２４Ｂが嵌合ボス４２Ａ,４２Ｂ内に嵌入すると、図７に示すように、接続ピン４３Ａ,４３Ｂと端子板２５Ａ,２５Ｂとが接続され、充電回路５０によって充電池４１が充電されるようになっている。
【００２１】
吸込ケース３３の後部壁３３Ｂには、図８および図９に示すように接続口４５が形成され、この接続口４５には上下動自在にシャッタ４６が取り付けられている。シャッタ４６の上部には、本体ケース１３の突起２１に係合する凹部４６Ａが形成され、シャッタ４６の両側部には上下方向に延びた突条部４７が形成されている。
【００２２】
他方、接続口４５の両側部には上下方向に延びたガイド凹部４５Ａが形成され、このガイド凹部４５Ｂにはシャッタ４６の突条部４７が係合されていて、シャッタ４６がガイド凹部４５Ｂに沿って上下動できるようになっている。シャッタ４６が上に移動されると接続口４５が開成され（図１０参照）、シャッタ４６が下に移動すると（図８に示す位置にあるとき）、接続口４５は閉塞される。
【００２３】
また、図８に示すようにシャッタ４６の凹部４６Ａに本体ケース１３の突起２１を係合させて、図１０に示すように吸込口体３０を下方に移動させて本体ケース１３の載置部１２に載置すると、シャッタ４６が吸込ケース３３に対して相対的に上に移動して、接続口４５は開成（開口）されて本体ケース１３の吸引孔２０に接続されるようになっている。また、吸込口体３０が載置部１２に載置されているとき、吸込ケース３３の開口３２は載置部１２の凹部２３により閉塞されず、その開口３２は凹部２３を介して外気と連通するようになっている。
【００２４】
図１１は電気掃除機の制御系の構成を示したブロック図である。図１１において、５０は充電池４１を充電する充電回路、５１は充電池４１に充電される充電電流に基づいて電動送風機１７や充電回路５０を制御する制御装置である。この制御装置５１は、ＣＰＵ等から構成され、充電電流を抵抗Ｒの両端に生じる電圧から求めるようになっている。
【００２５】
次に、上記のように構成される電気掃除機の動作を説明する。
【００２６】
掃除を行う場合、先ず、操作パイプ３１の把手部３１Ａを手で持って吸込口体３０を載置部１２から取り外す。吸込口体３０が載置部１２から取り外されると、載置部１２の端子ボス２４Ａ,２４Ｂから吸込口体３０の嵌合ボス４２Ａ,４２Ｂが外されるとともにシャッタ４６の凹部４６Ａから本体ケース１３の突起２１が外れ、シャッタ４６は自重により下方に移動して接続口４５が閉塞される。
【００２７】
そして、把手部３１Ａのスイッチ３４をオンにしてモータ３７を駆動させ、モータ３７の駆動により回転清掃体３５が図１２に示すように時計回りに回転していき、従来の吸込口体と同様に操作パイプ３１の把手部３１Ａを手で持って操作して吸込口体３０を被清掃面上を前後に移動させる。
【００２８】
回転清掃体３５の回転によりブレード３５Ｂが被清掃面の塵埃を掻き出していくとともに、この掻き出した塵埃をブレード３５Ｂが吸込ケース３３の開口３２を介して吸込ケース３３内に取り込んでいく。吸込ケース３３内に取り込まれた塵埃は蓄積室３６に蓄えられていく。
【００２９】
回転清掃体３５の回転方向は、吸込口体３０の前進移動に対して逆方向に回転していくので、塵埃の掻き出し効果が向上し、しかも、ブレード３５によって吸込ケース３３内に取り込まれた塵埃は、回転清掃体３５の時計回りの回転により、図１２の矢印Ｕ1に示すように回転清掃体３５の上側を通って後方へ送り出されていき、後方にある蓄積室３６へ効率よく蓄えられていく。
【００３０】
蓄積室３６に塵埃がある程度蓄えられたら、図８に示すように、シャッタ４６の凹部４６Ａに本体ケース１３の突起２１を係合させて吸込口体３０を下方に移動させて本体ケース１３の載置部１２に載置する。すると、シャッタ４６が相対的に上に移動して接続口４５が開成され、この接続口４５が本体ケース１３の吸引孔２０に接続される。また、載置部１２の端子ボス２４Ａ,２４Ｂが嵌合ボス４２Ａ,４２Ｂ内に嵌入して、図７に示すように、接続ピン４３Ａ,４３Ｂと端子板２５Ａ,２５Ｂとが接続される。
【００３１】
接続ピン４３Ａ,４３Ｂと端子板２５Ａ,２５Ｂとが接続されると、充電回路５０から充電池４１に充電電流が流れ、これにより制御装置５１は吸込口体３０が載置部１２に載置されたと判断して電動送風機１７を駆動させる。電動送風機１７の駆動により集塵室１４が負圧となり、吸込ケース３３の開口３２が載置部１２の凹部２３を介して外気と連通していることにより、吸込ケース３３内の空気が蓄積室３６の塵埃とともに吸込ケース３３の接続口４５および本体ケース１３の吸引孔２０を介して集塵室１４へ吸引されていき、集塵フィルタ１６に塵埃が集塵されていく。
【００３２】
電動送風機１７が一定時間駆動されると、制御装置５１は電動送風機１７の駆動を停止させる。電動送風機１７が駆動されている間、図２の矢印に示すように、吸込ケース３３の開口３２から外気が吸引され、この外気が蓄積室３６を通って吸込ケース３３の接続口４５および本体ケース１３の吸引孔２０を介して集塵室１４へ吸引されていくので、蓄積室３６に蓄積された塵埃を集塵室１４へ確実に吸引することができる。
【００３３】
蓄積室３６の塵埃が本体ケース１３の集塵室１４に吸引されたら、吸込口体３０を載置部１２から外して上記と同様にして清掃を行っていき、吸込口体３０の蓄積室３６に塵埃がある程度蓄積されたら、その吸込口体３０を上記と同様にして掃除機本体１１の載置部１２に載置すれば、上述のように吸込口体３０の蓄積室３６の塵埃が自動的に吸引されていき、吸込口体３０による清掃が再度可能となる。
【００３４】
図１３は制御装置５１の動作を示したフロー図である。図１３において、ステップ１では充電回路５０から充電電流が流れているか否かが判断され、ノーと判断されたときステップ１へ戻り、イエスと判断されたときステップ２へ進む。ステップ２では、電動送風機１７が駆動されるとともに内部タイマが作動される。ステップ３では、内部タイマの計時時間が所定時間に達したか否かが判断され、ノーのときステップ３へ戻り、イエスのときステップ４へ進む。ステップ４では、電動送風機１７の駆動が停止されるとともに内部タイマの作動が停止されてステップ１へ戻る。
【００３５】
ところで、吸込口体３０の操作パイプ３１には集塵ホース等が接続されていないので、吸込口体３０の前後方向への移動させる負荷は小さく、その操作は大変らくなものとなる。しかも、掃除機本体１１を移動させる必要もないので、吸込口体３０の移動負荷はさらに小さなものとなり、また、掃除機本体１１を移動させる必要がないことにより、電源コードが邪魔になってしまうこともない。
【００３６】
上記実施形態では、シャッタ４６は自重により下方に移動して接続口４５を閉じるようにしているが、スプリングによってシャッタ４６を下方に付勢しておき、シャッタ４６の凹部４６Ａから本体ケース１３の突起２１が外れたら、スプリングの付勢力によってシャッタ４６を閉じるようにしてもよい。
【００３７】
【発明の効果】
以上説明したように、請求項１の発明によれば、塵埃を取り込む開口が下面に形成された吸込ケースを有する吸込口体であって、被清掃面の塵埃を掻き出してその塵埃を前記開口から吸込ケース内へ取り込む塵埃掻出手段と、この吸込ケース内へ取り込まれた塵埃を蓄えておく蓄積室とを前記吸込ケース内に設け、前記蓄積室に蓄えられた塵埃を外部から吸引するための接続口を吸込ケースに設けたものであるから、吸込口体だけを移動させながら掃除することができ、このため、吸込口体の移動負荷を小さくすることができる。しかも、掃除機本体を移動させる必要がないことにより、吸込口体の移動負荷をさらに小さくすることができ、また、掃除機本体を移動させる必要がないことにより電源コードが邪魔になってしまうこともない。
【００３８】
また、掃除機本体内に塵埃を集塵する集塵室を形成し、この集塵室を負圧にする電動送風機と、前記吸込口体を保持部に保持した際にこの吸込口体の接続口に接続されて吸込口体の蓄積室と前記集塵室とを連通する吸込孔を掃除機本体に設けたものであるから、吸込口体を保持部に保持することにより、吸込口体の蓄積室に蓄積された塵埃を掃除機本体の集塵室に吸引することができる。
【００３９】
請求項２の発明は、吸込口体は、塵埃掻出手段を作動させるモータと、このモータを駆動させる充電池とを内蔵し、吸込口体が保持部に保持されたとき、前記充電池を充電する充電回路を掃除機本体に設けたものであるから、吸込口体を保持部に保持することにより、充電池を充電することができる。
【００４０】
請求項３の発明は、吸込口体が保持部に保持されたとき、電動送風機が駆動されて吸込口体の蓄積室の塵埃を吸引するものであるから、吸込口体を保持部に保持することにより、吸込口体の蓄積室に蓄積された塵埃を自動的に吸引することができる。
【図面の簡単な説明】
【図１】この発明に係る電気掃除機の外観を示した斜視図である。
【図２】図１に示す電気掃除機の概略構成を示した縦断面図である。
【図３】図１に示す電気掃除機の概略構成を示した平断面図である。
【図４】掃除機本体を示した斜視図である。
【図５】端子ボスを示した拡大断面図である。
【図６】嵌合ボスを示した拡大断面図である。
【図７】端子ボスが嵌合ボスに嵌入された状態を示した拡大断面図である。
【図８】吸込口体のシャッタの凹部に本体ケースの突起を係合させた状態を示した説明図である。
【図９】吸込ケースの接続口にシャッタを設けた構成を示した説明図である。
【図１０】吸込口体が載置部に載置されて接続口のシャッタが開成された状態を示した説明図である。
【図１１】電気掃除機の制御系の構成を示したブロック図である。
【図１２】吸込口体によって清掃を行っている状態を示した説明図である。
【図１３】制御装置の動作を示したフロー図である。
【符号の説明】
３０        吸込口体
３２        開口
３３        吸込ケース
３５        回転清掃体
３６        蓄積室
４５        接続口
【図１】
0004010771.tif 000002
【図２】
0004010771.tif 000003
【図３】
0004010771.tif 000004
【図４】
0004010771.tif 000005
【図５】
0004010771.tif 000006
【図６】
0004010771.tif 000007
【図７】
0004010771.tif 000008
【図８】
0004010771.tif 000009
【図９】
0004010771.tif 000010
【図１０】
0004010771.tif 000011
【図１１】
0004010771.tif 000012
【図１２】
0004010771.tif 000013
【図１３】
0004010771.tif 000014